(57)【要約】【課題】装置の大型化及び光の利用効率の低下を抑制しながら光源の輝度を向上させた照明装置及びこの照明装置を搭載した投写型映像表示装置を提供すること。【解決手段】本発明に係る照明装置１１は、楕円面リフレクタ１２ｂ，１３ｂを備えた複数個の光源ランプ１２，１３と、各光源ランプ１２，１３から出射された光線を個別に平行化する凹面レンズ部１４ａ，１４ｂを複数と、この凹面レンズ部１４ａ，１４ｂから出射される平行光が照射される光学部品とを備えている。光学部品は、例えばインテグレータレンズ１５である。楕円面リフレクタ１２ｂ，１３ｂは、複数の光源ランプ１２，１３が並べられる一方向（ｘ軸方向）の第２焦点距離と、この一方向に対し直角な他方向（ｙ軸方向）の第２焦点距離とが、前記光学部品における光の蹴られ現象が最少となるように、それぞれ光学部品の大きさに対応して調整されている。【選択図】図１
2011053542.tif 000002
【特許請求の範囲】
【請求項１】
発光体からの光を楕円面リフレクタにより反射させて出射する複数個の光源ランプと、各光源ランプから出射された光線を個別に平行化する凹面レンズ部を複数と、凹面レンズ部から出射される平行光が照射される光学部品とを備えた照明装置であって、
楕円面リフレクタは、複数の光源ランプが並べられる一方向の第２焦点距離と、この一方向に対し直角な他方向であって、１個又は複数個の光源ランプが並べられる当該他方向の第２焦点距離とが、前記光学部品における前記光源からの光の蹴られ現象が最少となるように、それぞれ前記光学部品の大きさに対応して調整されていることを特徴とする照明装置。
【請求項２】
前記一方向に並べられる光源ランプの個数が前記他方向に並べられる光源ランプの個数より多い場合であって、前記楕円面リフレクタは、前記一方向の第２焦点距離が前記他方向の第２焦点距離より短く形成されていることを特徴とする請求項１記載の照明装置。
【請求項３】
前記他方向に並べられる光源ランプの個数が１個の場合であって、前記光学部品の大きさが前記他方向における光源ランプからの光束の広がり寸法に対応する略正方形に形成されていることを特徴とする請求項２記載の照明装置。
【請求項４】
前記光源ランプは、前記一方向において２個であり、前記他方向には１個であることを特徴とする請求項３記載の照明装置。
【請求項５】
前記複数の凹面レンズ部は、一体物のレンズ部材として形成されていることを特徴とする請求項１〜４の何れか１項に記載の照明装置。
【請求項６】
前記光学部品は、インテグレータレンズであることを特徴とする請求項１〜５の何れか１項に記載の照明装置。
【請求項７】
請求項１〜６の何れか１項に記載された照明装置と、この照明装置から照射された光を映像信号に基づいて変調するライトバルブと、このライトバルブにて変調された光を拡大投写する投写レンズとを備えたことを特徴とする投写型映像表示装置。
【請求項８】
請求項７に記載された投写型映像表示装置において、照明装置からの光を３原色に分離して各色光用のライトバルブそれぞれに導き、各色光用のライトバルブにて調整された光を合成して投写するようにしたことを特徴とする投写型映像表示装置。
【発明の詳細な説明】
【技術分野】
【０００１】
本発明は、照明装置及び投写型映像表示装置に係り、特に、複数の光源ランプを備えた照明装置及び投写型映像表示装置に関する。
【背景技術】
【０００２】
一般的に、光源が照射した光を液晶パネルで変調して画像を投写する投写型映像表示装置においては高輝度化のニーズが高くなってきている。この要求の応えるものとして発光量のより大きい光源ランプを用いる方法や、複数の光源ランプを用いる方法が考えられる。しかしながら、この両方法を比較すると、同じ輝度を得ようとする場合、１個の大発光量の光源ランプを用いるよりも、複数の光源ランプを用いた方が、光源ランプの電源の大きさやコストの点では有利である。このため、複数の光源ランプを用いる照明装置及びこの照明装置を用いた投写型映像表示装置が従来提案されている。
【０００３】
その一例として特許文献１に記載された投写型映像表示装置に用いられる照明装置がある。これを図５に基づいて説明する。この照明装置は、放物面リフレクタを備えた２個の光源ランプ１０１，１０２が対向するように配置され、その光源ランプ１０１と光源ランプ１０２と間に光路変更部材１０３が設けられている。光路変更部材１０３は、光源ランプ１０１用の反射面１０４と光源ランプ１０２用の反射面１０５とを有する。反射面１０４は分割反射面１０４ａ，１０４ｂ，１０４ｃからなり、これら分割反射面１０４ａ，１０４ｂ，１０４ｃは互いに平行で異なる平面内に配置されている。反射面１０５についても同様であって、互いに平行で異なる平面内に配置された分割反射面１０５ａ，１０５ｂ，１０５ｃからなるように構成されている。したがって、この照明装置においては、光源ランプ１０１，１０２から照射される平行光が分割反射面１０４ａ〜１０４ｃ，１０５ａ〜１０５ｃで反射され、出射側に配置された光学部品であるインテグレータレンズ１０６の光入射面に交互に分散照射される。
【先行技術文献】
【特許文献】
【０００４】
【特許文献１】特開２００１−２１９９６号公報
【発明の概要】
【発明が解決しようとする課題】
【０００５】
ところでこのような照明装置は、光源ランプ１０１，１０２の間に光路変更部材１０３を配置しているため、構造が複雑となり高価になる恐れがあった。また、光源ランプ１０１，１０２の間に光路変更部材１０３を配置するために、光源ランプ１０１，１０２の配置スペースが大きくなるという問題があるばかりでなく、この照明装置の出射側に配置される光学部品であるインテグレータレンズ１０６も大きく形成されていた。すなわち、インテグレータレンズ１０６は各光源ランプ１０１，１０２からの光束の径Ｄの略２倍（２Ｄ）に拡大されていた。このために照明装置、あるいは、この照明装置を搭載する３板式液晶投写型映像表示装置などの応用製品が大きくなるという問題があった。
【０００６】
他方、このような照明装置に対し、光路変更部材１０３を使用しないで光源ランプ１０１，１０２を単純に並べて配置することにより照明装置の所要スペースを小さくするとともに、コストを軽減することができるのではないかとの考えがある。しかしながら、この場合も次のような問題がある。これを図面に基づき説明する。
【０００７】
図６は、その一例としての参考例である。この参考例に係る照明装置は、２個の光源ランプ２０１，２０２を使用した３板式液晶投写型映像表示装置用の照明装置であって、光源ランプ２０１，２０２の出射側に配置されるインテグレータレンズ２０３の大きさを光源ランプ１個の場合と同一の大きさとしたものである。図６（ａ）は、この照明装置を搭載した３板式液晶投写型映像表示装置が標準床置設置された場合における側面模式図である。この側面から見た構成は、従来一般の光源ランプ１個の場合と同様である。しかし、平面の構成は、図６（ｂ）にその平面図を示すように光源ランプ２０１，２０２が２個並列に並べられているため、光源ランプ２０１，２０２から照射される光束Ｓ１，Ｓ２は、約半分の光がインテグレータレンズ２０３に入射されない所謂蹴られ現象となる（図６（ｃ）参照）。このため、光の利用効率が低くなるという問題があった。
【０００８】
また、図７に示した他の参考例に係る照明装置は、図６のものに比してインテグレータレンズ２０３を光源ランプ２０１，２０２の使用個数が２個であることに対応して１辺の大きさを２倍にしたものである。したがって、この参考例は、図７（ａ）〜（ｃ）に示すように、照明装置、あるいはこの照明装置を搭載する３板式液晶投写型映像表示装置などの応用製品が大きくなるという問題があった。
【０００９】
本発明は、このような背景の下に成されたものであって、装置の大型化及び光の利用効率の低下を抑制しながら光源の輝度を向上させた照明装置及びこの照明装置を搭載した投写型映像表示装置を提供することを目的とする。
【課題を解決するための手段】
【００１０】
本発明に係る照明装置は、発光体からの光を楕円面リフレクタにより反射させて出射する複数個の光源ランプと、各光源ランプから出射された光線を個別に平行化する凹面レンズ部を複数と、凹面レンズ部から出射される平行光が照射される光学部品とを備えた照明装置であって、楕円面リフレクタは、複数の光源ランプが並べられる一方向の第２焦点距離と、この一方向に対し直角な他方向であって、１個又は複数個の光源ランプが並べられる当該他方向の第２焦点距離とが、前記光学部品における前記光源からの光の蹴られ現象が最少となるように、それぞれ前記光学部品の大きさに対応して調整されていることを特徴とする。
【００１１】
このように構成された照明装置によれば、発光体からの光を楕円面リフレクタにより反射させて出射する光源ランプを備えるとともに、各光源ランプから照射される光線を平行化する凹面レンズ部を複数備えているので、光学部品より後の光学系機器を小型化することができる。また、楕円面リフレクタは、複数の光源ランプが並べられる一方向の第２焦点距離と、この一方向に対し直角であって、１個又は複数個の光源ランプが並べられる他方向の第２焦点距離とが、前記光学部品における前記光源からの光の蹴られ現象が最少となるように、それぞれ前記光学部品の大きさに対応して調整されているので、光の利用効率が向上する。
【００１２】
前記一方向に並べられる光源ランプの個数が前記他方向に並べられる光源ランプの個数より多い場合であって、前記楕円面リフレクタは、前記一方向の第２焦点距離が前記他方向の第２焦点距離より短く形成されていることが好ましい。このように構成すれば、前記一方向の光束の広がり寸法と前記他方向の光束の広がり寸法とを同一の大きさにすることができるので、前記光学部品の大型化を防止するとともに、光学部品における光の蹴られ現象を容易に最小限に調整することができる。
【００１３】
また、前記他方向に並べられる光源ランプの個数が１個の場合であって、前記光学部品の大きさが前記他方向における光源ランプからの光束の広がり寸法に対応する略正方形に形成されていることが好ましい。このように構成すれば、光源ランプを１個とする一般的な照明装置に対し光源の輝度向上のために光源ランプの個数を増加するような場合に、前記光学部品より後の光学系を、光源ランプを１個とする一般的な照明装置との共通化を図ることができる。
【００１４】
前記光源ランプは、前記一方向において２個であり、前記他方向には１個であるものとすることができる。光源の輝度の向上を図る場合、光源ランプの個数を２個とすることが最も多いと思われる。上記のようにすればこれに対応することができる。
【００１５】
前記複数の凹面レンズ部は、一体物のレンズ部材として形成されていることが好ましい。凹面レンズ部毎に別個のレンズ部材とすることも可能であるが部品点数が増え部品管理工数が増大するとともに、取付構造も複雑となるので、コスト上昇の要因となる。これに対し、本発明のように各光源ランプに対応する個数の凹面レンズ部を一体物のレンズ部材として形成することにより、部品点数を削減し取り付け構造を簡略化することができる。
【００１６】
前記光学部品をインテグレータレンズとしてもよい。このように構成することにより液晶投写型映像表示装置用の照明装置とすることができる。
また、本発明に係る投写型映像表示装置は、上述の何れかの照明装置と、この照明装置から照射された光を映像信号に基づいて変調するライトバルブと、このライトバルブにて変調された光を拡大投写する投写レンズとを備えたことを特徴とする。このように構成された投写型映像表示装置によれば、装置の大型化を抑制するとともに、光の利用効率を向上させながら投写映像の照度向上を図ることができる。
【００１７】
また、このような投写型映像表示装置において、照明装置からの光を３原色に分離して各色光用のライトバルブそれぞれに導き、各色光用のライトバルブにて調整された光を合成して投写するように構成することができる。このように構成すれば、投写映像の照度の高い３板式投写型映像表示装置として構成することができる。
【発明の効果】
【００１８】
本発明に係る照明装置によれば、発光体からの光を楕円面リフレクタにより反射させて出射する光源ランプを備えるとともに、各光源ランプから照射される光線を平行化する凹面レンズ部を複数備えているので、光学部品より後の光学系機器を小型化することができる。また、楕円面リフレクタは、複数の光源ランプが並べられる一方向の第２焦点距離と、この一方向に対し直角であって、１個又は複数個の光源ランプが並べられる他方向の第２焦点距離とが、前記光学部品における前記光源からの光の蹴られ現象が最少となるように、それぞれ前記光学部品の大きさに対応して調整されているので、光の利用効率が向上する。
【図面の簡単な説明】
【００１９】
【図１】本発明の実施の形態１に係る照明装置の模式図であって、（ａ）は側面図であり、（ｂ）は平面図であり、（ｃ）は光源ランプの正面側から見たインテグレータレンズと各光源ランプからの光束の広がり形状との関係図である。
【図２】本発明の実施の形態２に係る投写型映像表示装置の光学系系統図である。
【図３】本発明の実施の形態３に係る照明装置の模式図であって、（ａ）は側面図であり、（ｂ）は平面図であり、（ｃ）は光源ランプの正面側から見たインテグレータレンズと各光源ランプからの光束の広がり形状との関係図である。
【図４】同照明装置における光源ランプ及びレンズ部材の模式斜視図である。
【図５】従来の照明装置の概念図である。
【図６】光源ランプを２個とした参考例図である。
【図７】光源ランプを２個とした他の参考例図である。
【発明を実施するための形態】
【００２０】
（実施の形態１）
以下、本発明の実施の形態１に係る照明装置１１について図１に基づいて説明する。
この照明装置１１は、３板式液晶投写型映像表示装置用であって、光源として同一仕様の２個の光源ランプ１２，１３を備え、光源ランプ１２，１３の出射側にレンズ部材１４と、光源の出射側に配置される光学部品としてのインテグレータレンズ１５を備えている。なお、図１（ｂ）に示すように、説明の都合上光源ランプ１２，１３の光軸と平行の方向をｚ軸とし、このｚ軸に直角であって紙面に平行な軸をｘ軸とし、さらに、ｚ軸に直角であって紙面に直角な軸をｙ軸とする。なお、この照明装置が投写型映像表示装置に搭載されるとともに当該投写型映像表示装置が標準床置設置される場合においては、一般に、ｘ軸方向は床面と平行になる方向であり、ｙ軸方向は高さ方向となる。
【００２１】
本発明における照明装置１１において、２個の光源ランプ１２，１３は、ｘ軸方向に並べて配設されている（図１（ａ），（ｂ）参照）。また、光源ランプ１２，１３は、ｚ軸方向（光軸方向）にある長さを有する発光体１２ａ，１３ａ、楕円面リフレクタ１２ｂ，１３ｂ等を有している。発光体１２ａ，１３ａとしては、超高圧水銀ランプ、メタルハライドランプなどの放電型ランプが使用されている。そして、本発明における光源ランプ１２，１３においては、発光体１２ａ，１３ａから出射された光線が楕円面リフレクタ１２ｂ，１３ｂの反射面によって反射されて、第２焦点に向う反射光となるように構成されている。このために、発光体１２ａ，１３ａのアークの中心が各光源ランプ１２，１３の光軸上における楕円面リフレクタ１２ｂ，１３ｂの二つの焦点のうちの、楕円面リフレクタ１２ｂ，１３ｂの頂点に近い方の焦点（すなわち第１焦点）の近傍に配置されている。
【００２２】
レンズ部材１４は、光源ランプ１２，１３に対応する複数個の（この実施例では２個の）凹面レンズ部１４ａ，１４ｂを一体物として構成するものである。この凹面レンズ部１４ａ，１４ｂは、楕円面リフレクタ１２ｂ，１３ｂから第２焦点に向かう反射光の途中に配置されるものであって、各光源ランプ１２，１３から第２焦点に向かう反射光を光軸に平行な光線に変更する。なお、平行光に変更された各光源ランプ１２，１３の光束１２ｃ，１３ｃは、出射側に配置される光学部品としてのインテグレータレンズ１５に照射される。
【００２３】
インテグレータレンズ１５は、セルレンズがｘ軸及びｙ軸方向にマトリックス状に配置されたレンズアレイ（フライアイレンズ）一対から構成されている。この一対のレンズアレイは、入射側が第１レンズアレイ１５ａと称され、出射側が第２レンズアレイ１５ｂと称されており、その外形は両者同一であり、ｚ軸方向から見て略略正方形を成している（図１（ｃ）参照）。インテグレータレンズ１５は、凹面レンズ部１４ａ，１４ｂからの平行光を第１レンズアレイ１５ａの複数のセルレンズにより複数の微小な部分光束に分割する。そして、第１レンズアレイ１５ａから出射された複数の部分光束のそれぞれが対応する第２レンズアレイ１５ｂのセルレンズ上に集光される。なお、この照明装置１１が搭載される投写型映像表示装置においては、後述するように第２レンズアレイ１５ｂから出射された複数の部分光束それぞれがコンデンサーレンズ１７によって照明対象である各色光用のライトバルブ３０ｒ，３０ｇ，３０ｂの液晶パネル３２ｒ，３２ｇ，３２ｂの光入射面上で重畳される。
【００２４】
上記構成において、インテグレータレンズ１５は、光源ランプが１個の一般の３板式投写型映像表示装置のものと略同一の大きさに形成されている。また、光源ランプ１２，１３の楕円面リフレクタ１２ｂ，１３ｂの反射面は、インテグレータレンズ１５における光源ランプ１２，１３からの光の蹴られ現象が最少となるように、ｘ軸方向及びｙ軸方向の第２焦点距離が調整されている。より具体的には、光源ランプ１２，１３は、ｘ軸方向に２個並べられ、ｙ軸方向には１個のみとなっているので、ｘ軸方向の焦点距離をｙ軸方向の焦点距離より短くしている。これにより、図１（ｃ）に示すように、インテグレータレンズ１５における光束１２ｃ，１３ｃの広がり寸法が、インテグレータレンズ１５の外寸に等しい程度に調整されている。この場合はｘ軸方向の広がりがｙ軸方向の略半分となるように調整されている。
【００２５】
以上のように構成された照明装置は、次のように作用する。
照明装置１１において２個の光源ランプ１２，１３から出射された照明光は、各光源ランプ１２，１３に対応して設けられている凹面レンズ部１４ａ，１４ｂにおいて平行光に変更され、各光源ランプ１２，１３の第２焦点距離の設定により適正な大きさの広がりを形成してインテグレータレンズ１５に照射される。
【００２６】
一般の３板式液晶投写型映像表示装置の照明装置では、放物面リフレクタを備えた光源ランプが１個用いられている。これに対し、この発明における照明装置は、光源ランプとして楕円面リフレクタ１２ｂ，１３ｂを備えた光源ランプ１２，１３に変更し、この光源ランプ１２，１３をｘ軸方向に２個並べて配置されている。これにより、光源の輝度が向上している。また、楕円面リフレクタ１２ｂ，１３ｂのｘ軸方向（光源ランプを並べる方向）の第２焦点距離をｙ軸方向の第２焦点距離より短くすることにより、インテグレータレンズ１５に照射される光束１２ｃ、１３ｃの広がり寸法をｘ軸方向に小さくしている。これにより、インテグレータレンズ１５における光の蹴られ現象が少なくなり、光の利用効率が向上している。
【００２７】
実施の形態１に係る照明装置は、以上のように構成されているので次のような効果を奏することができる。
（１）実施の形態１に係る投写型映像表示装置における照明装置によれば、光源ランプ１２，１３は、楕円面リフレクタ１２ｂ，１３ｂを備えるとともに、各光源ランプ１２，１３から照射される光線を平行化する凹面レンズ部１４ａ，１４ｂを備えているので、出射側に配置される光学部品であるインテグレータレンズ１５を小型化することができる。また、これによりこの照明装置１１の出射側に配置される光学系を小型化することができる。
【００２８】
（２）また、光源ランプ１２，１３は、楕円面リフレクタ１２ｂ，１３ｂの第２焦点距離を、複数の光源ランプを並べる一方向（この実施の形態においてはｘ軸方向）の第２焦点距離と、この一方向に対し直角方向（ｙ軸方向）の第２焦点距離とを調整している。そして、この第２焦点距離の調整により、光源の出射側に配置される光学部品としてのインテグレータレンズ１５における光束１２ｃ，１３ｃの広がり寸法を調整している。したがって、このような調整を行うことにより、光源の出射側に配置される光学部品（この実施の形態においてはインテグレータレンズ１５）における光の蹴られ現象が軽減され、光の利用効率が向上する。
【００２９】
（３）光源ランプ１２，１３を多く並べる方向（この実施の形態においてはｘ軸方向）の楕円面リフレクタの第２焦点距離を、この方向と直角の、光源ランプの並べる個数の少ない方向（この実施の形態においてはｙ軸方向）の第２焦点距離よりも短くしている。これにより、光源の出射側に配置される光学部品としてのインテグレータレンズ１５における光束の広がり寸法を、図１（ｃ）に示すように、何れの方向に対しても略同一にすることができるので、このインテグレータレンズ１５の大型化を防止するとともに、光学部品における蹴られ現象を最小限に調整することができる。
【００３０】
（４）光源の出射側に配置される光学部品としてのインテグレータレンズ１５は、光源ランプが１個しか並べられていないｙ軸方向の光束１２ｃ，１３ｃの広がり寸法と略等しい寸法を一片とする略正方形に形成されている。したがって、出射側に配置される光学部品（この実施の形態においてはインテグレータレンズ１５）を、光源ランプを１個とする一般的な照明装置の光学部品と同一にすることができる。したがって、１個の光源ランプを用いた従来一般の照明装置を搭載した光学系において、出射側に配置される光学部品（この実施の形態においてはインテグレータレンズ１５）より後の部品を変更せずに、本発明に係る照明装置を搭載することができる。
【００３１】
（５）光源ランプ１２，１３を２個としたものであるので、輝度向上の方策として多用し易い。
（６）複数の凹面レンズ部１４ａ，１４ｂは、一体物のレンズ部材１４として形成されているので、凹面レンズ部１４ａ，１４ｂ毎に別個のレンズ部材を形成する場合に比し、部品点数を削減し取り付け構造を簡略化することができる。
【００３２】
（７）光源の出射側に配置される光学部品がインテグレータレンズ１５であるので、液晶投写型映像表示装置に応用することができる。
（実施の形態２）
次に、実施の形態２の投写型映像表示装置について、図２に基づいて説明する。なお、この実施の形態２は、実施の形態１に係る照明装置を搭載した３板式液晶投写型映像表示装置である。したがって、照明装置については実施の形態１と同一であり、図２及び実施の形態２の説明においては同一の符号を用い、その説明を簡略化する。
【００３３】
この投写型映像表示装置は、図２に示すように、その光学系として、照明光を射出する照明光学系１０、照明光学系１０から射出された照明光を複数の色光に分離する色分離光学系２０を備えている。さらに、この光学系には、色分離光学系２０によって分離された複数の色光を変調する各色光用のライトバルブ３０ｒ，３０ｇ，３０ｂと、これらライトバルブ３０ｒ，３０ｇ，３０ｂにより変調された変調光を合成する色合成光学系４０と、色合成光学系４０から射出された合成光を投写する投写光学系５０とを備えている。
【００３４】
照明光学系１０は、照明装置１１、偏光変換素子１６、及びコンデンサーレンズ１７を有している。照明装置１１は、実施の形態１に記載しものであって、光源ランプ１２，１３、凹面レンズ部１４ａ，１４ｂを備えたレンズ部材１４、第１レンズアレイ１５ａ及び第２レンズアレイ１５ｂからなるインテグレータレンズ１５から構成されている。インテグレータレンズ１５においては、前述のように、第１レンズアレイ１５ａから出射された複数の部分光束のそれぞれが、対応する第２レンズアレイ１５ｂのセルレンズ上に集光される。そして、第２レンズアレイ１５ｂから出射された複数の部分光束それぞれが、コンデンサーレンズ１７によって照明対象である各色光用のライトバルブ３０ｒ，３０ｇ，３０ｂの液晶パネル３２ｒ，３２ｇ，３２ｂの光入射面上で重畳される。偏光変換素子１６は、第２レンズアレイ１５ｂから出射された光を所定の偏光光に揃えるものである。
【００３５】
色分離光学系２０は、ダイクロイックミラー２１，２２、反射ミラー２３，２４，２５、リレーレンズ２６，２７、コンデンサーレンズ２８ｒ、２８ｇ、２８ｂなどから構成されたものであって、照明光学系１０から射出される照明光を赤色光、緑色光及び青色光に分離する機能を有している。
【００３６】
第１のダイクロイックミラー２１は、赤色光を透過させるとともに、緑色光及び青色光を反射する。第１のダイクロイックミラー２１を透過した赤色光は、反射ミラー２３で反射され、コンデンサーレンズ２８ｒを透過して赤色光用ライトバルブ３０ｒを照明する。コンデンサーレンズ２８ｒは、照明光学系１０からの複数の部分光束がそれぞれ赤色光用ライトバルブ３０ｒを照明するように集光し、各部分光束がそれぞれ略平行な光束となるように設定されている。なお、後述する緑色光用ライトバルブ３０ｇ及び青色光用ライトバルブ３０ｂの入射側に配設されたコンデンサーレンズ２８ｇ，２８ｂもコンデンサーレンズ２８ｒと同様に設定されている。
【００３７】
第１のダイクロイックミラー２１で反射された緑色光と青色光のうち緑色光は、第２のダイクロイックミラー２２によって反射され、コンデンサーレンズ２８ｇを透過して緑色光用ライトバルブ３０ｇを照明する。一方、青色光は、第２のダイクロイックミラー２２を透過し、リレーレンズ２６、反射ミラー２４、リレーレンズ２７を順次通過して青色光用ライトバルブ３０ｂを照明する。
【００３８】
赤色光用ライトバルブ３０ｒは、入射側に配置された入射側偏光板３１ｒ、透過型の液晶パネル３２ｒ、出射側に配置された出射側偏光板３３ｒなどから構成されている。同様に、緑色光用ライトバルブ３０ｇは、入射側に配置された入射側偏光板３１ｇ、透過型の液晶パネル３２ｇ、出射側に配置された出射側偏光板３３ｇなどから構成され、青色光用ライトバルブ３０ｂは、入射側に配置された入射側偏光板３１ｂ、透過型の液晶パネル３２ｂ、出射側に配置された出射側偏光板３３ｂなどから構成されている。
【００３９】
色合成光学系４０は、クロスダイクロイックプリズム４１などから構成されている。クロスダイクロイックプリズム４１は、赤色光用ライトバルブ３０ｒにて変調されて出射された赤色光を反射させる反射面４１ａ及び青色光用ライトバルブ３０ｂにて変調されて出射された青色光を反射させる反射面４１ｂを備えている。一方、緑色光用ライトバルブ３０ｇにて変調されて出射された緑色光はクロスダイクロイックプリズム４１を直進透過する。したがって、クロスダイクロイックプリズム４１に入射した赤色光及び青色光は反射面４１ａ，４１ｂで反射され、クロスダイクロイックプリズム４１に入射して直進透過する緑色光と合成され、合成光がカラー映像として出射されるように構成されている。
【００４０】
投写光学系５０は、クロスダイクロイックプリズム４１の出射側に配置されており、投写レンズなどから構成されている。クロスダイクロイックプリズム４１から出射された合成光であるカラー映像は、投写光学系５０によりスクリーンなどに拡大投写されるように構成されている。
【００４１】
以上のように構成された３板式液晶投写型映像表示装置は、次のように作用する。
照明装置１１において２個の光源ランプ１２，１３から出射された照明光は、各光源ランプ１２，１３に対応して設けられている凹面レンズ部１４ａ，１４ｂにおいて平行光に変更され、各光源ランプ１２，１３の第２焦点距離の設定により適正な広がり寸法を形成してインテグレータレンズ１５に照射される。
【００４２】
インテグレータレンズ１５に照射された光束は、複数の微小な部分光束に分割され、色分離光学系において赤色光、緑色光及び青色光に分離されて、各色光用のライトバルブ３０ｒ，３０ｇ，３０ｂの液晶パネル３２ｒ，３２ｇ，３２ｇに重畳照明される。そして、制御部（図示せず）から送信される映像信号に基づき各色光が各色光用のライトバルブ３０ｒ，３０ｇ，３０ｂで変調され、色合成光学系４０を構成するクロスダイクロイックプリズム４１にて合成されて、投写光学系５０により映像光としてスクリーンなどに拡大投写される。
【００４３】
実施の形態２に係る３板式液晶投写型映像表示装置は、以上のように構成されているので、照明装置１１が実施の形態１に記載された（１）〜（７）の効果を奏する他、次のような効果を奏する。
【００４４】
（８）本実施の形態に係る投写型映像表示装置によれば、前述の実施の形態１に記載の２個の光源ランプ１２，１３を備えた照明装置１１を備えているので、投写映像の照度を向上させることができる。
【００４５】
（９）また、前述の実施の形態１に記載の照明装置１１を備えているので、照明装置及び照明装置の出射側の光学系の機器の大型化が抑制される。
（１０）また、前述の実施の形態１に記載の照明装置１１を備えているので、インテグレータレンズ１５における光の蹴られ現象が軽減される。したがって、光の利用効率を維持しながら投写映像の照度を向上させることができる。
【００４６】
（１１）また、本実施の形態に係る投写型映像表示装置によれば、照明装置からの光を３原色に分離して各色光用のライトバルブにそれぞれ導き、各色光用のライトバルブにて変調された光が合成されて投写されるので、投写映像の照度の高い３板式投写型映像表示装置を得ることができる。
【００４７】
（実施の形態３）
次に、実施の形態３に係る照明装置について、図３及び図４に基づき説明する。
実施の形態３に係る照明装置は、光源ランプの個数を変更した例を示すものである。
【００４８】
実施の形態３における照明装置は、３板式液晶投写型映像表示装置用であって、４個の光源ランプ１２Ａ，１２Ｂ，１３Ａ，１３Ｂを使用している。また、光源ランプの個数を４個にしたことに伴い４個の凹面レンズ部１４Ａａ，１４Ａｂ，１４Ｂａ，１４Ｂｂを備えたレンズ部材１４用いているが、インテグレータレンズ１５は変更しておらず、実施の形態１の場合と同一の大きさである。
【００４９】
４個の光源ランプ１２Ａ，１２Ｂ，１３Ａ，１３Ｂは、ｘ軸方向に２個配置され、ｙ軸方向にも２個配置されている（図３（ａ）〜（ｃ），図４参照）。各光源ランプ１２Ａ，１２Ｂ，１３Ａ，１３Ｂは、楕円面リフレクタ１２Ａｂ，１２Ｂｂ，１３Ａｂ，１３Ｂｂを備えている。また、これらの第２焦点距離は、実施の形態１の場合と同様に、出射側の光学部品であるインテグレータレンズ１５の大きさとｘ軸方向及びｙ軸方向の光源ランプの個数とを考量して、各光源ランプからからの光束１２Ａｃ，１２Ｂｃ，１３Ａｃ，１３Ｂｃがインテグレータレンズ１５の入射面から略はみ出さないように設定されている。なお、この実施の形態の場合は、ｘ軸方向及びｙ軸方向に並べる光源ランプの数が同一であるため、ｘ軸方向の第２焦点距離と及びｙ軸方向の第２焦点距離とは同一に設定されている。
【００５０】
実施の形態３に係る照明装置１１は、以上のように構成されているので、実施の形態１における前記（１）、（２）、（６）及び（７）の効果と同様の効果を奏することができる。
【００５１】
（変形例）
本発明は、上記実施の形態において以下のように変更することもできる。
・実施の形態２の投写型映像表示装置において、照明装置１１として実施の形態３に記載のものを使用することができる。この場合も実施の形態２に係る前述の（８）〜（１１）に順ずる効果を奏することができる。
【００５２】
・実施の形態１〜実施の形態３において、光源ランプを他の個数とすることもできる。例えば、光源ランプの個数を３個とする場合には、ｘ軸方向に３個の光源ランプを並べ、ｘ軸方向の第２焦点距離を実施の形態１の場合よりさらに短くするようにすればよい。また、光源ランプの個数を５個とする場合には、ｚ軸方向から見た中心部に１個の光源ランプを配置し、その周囲の上下左右に他の４個を配置するようにすればよい。
【００５３】
・実施の形態１〜実施の形態３において、複数の凹面レンズ部は、１個のレンズ部材に形成された一体物の構成であるが、これをレンズ部毎にレンズ部材を形成するようにしてもよい。
【００５４】
・上記各実施形態においては、透過型の液晶パネル３２ｒ，３２ｇ，３２ｂを用いたものについて説明したが、本発明はこれに限定されず、反射型の液晶パネルを用いるようにしてもよい。また、液晶パネル以外のライトバルブを用いた構成としてもよい。
【符号の説明】
【００５５】
１１…照明装置、１２，１２Ａ，１２Ｂ，１３，１３Ａ，１３Ｂ…光源ランプ、１２ａ，１３ａ…発光体、１２ｂ，１２Ａｂ，１２Ｂｂ，１３ｂ，１３Ａｂ，１３Ｂｂ…楕円面リフレクタ、１２ｃ，１２Ａｃ，１２Ｂｃ，１３ｃ，１３Ａｃ，１３Ｂｃ…光束、１４…レンズ部材、１４ａ，１４ｂ，１４Ａａ，１４Ａｂ，１４Ｂａ，１４Ｂｂ…凹面レンズ部、１５…（光学部品としての）インテグレータレンズ、３０ｒ…赤色光用ライトバルブ、３０ｇ…緑色光用ライトバルブ、３０ｂ…青色光用ライトバルブ。
【図１】
2011053542.tif 000003
【図２】
2011053542.tif 000004
【図３】
2011053542.tif 000005
【図４】
2011053542.tif 000006
【図５】
2011053542.tif 000007
【図６】
2011053542.tif 000008
【図７】
2011053542.tif 000009